(57)【要約】  複数の調節可能なポジションを有する医療用チェアが、シートと、シートを支持するように構成されたプラットフォームと、支柱とを含む。支柱は、入れ子式の支持体を含んでおり、支持体のうちの第１の支持体が、プラットフォームに固定して結合され、支持体のうちの第２の支持体が、シートに動作可能に結合され、入れ子式の支持体は、シートがプラットフォームに対して配置されるときに伸縮自在に伸びる。リンク式ケーブルキャリアが、ハウジング内に位置しており、ハウジングは、ベースからシートに向かって延び、かつ支柱に隣接して配置されている。レッグレストおよび背もたれのそれぞれが、シートに枢動可能に結合している。シートポジションアクチュエータが、シート上の中央に位置し、レッグレストアクチュエータおよび背もたれアクチュエータが、シートポジションアクチュエータの両側に位置する。
2019508155.tif 000002
【特許請求の範囲】
【請求項１】
複数の調節可能なポジションを有する医療用チェアであって、
前記医療用チェアを支持するように構成されたプラットフォームと、
前記プラットフォームに動作可能に接続されたシートと、
前記シートに枢動可能に結合されたレッグレストと、
前記シートに枢動可能に結合された背もたれと、
複数の支持体を含む支柱であって、前記支持体のうちの第１の支持体が、前記プラットフォームに固定的に結合され、前記支持体のうちの第２の支持体が、前記シートに動作可能に結合され、前記プラットフォームに対する前記シートの第１のポジションにおいて、前記複数の支持体は、前記シートを最も低い高さに位置付けるように入れ子状にされ、また第２のポジションにおいて、前記複数の支持体は、前記シートを最も高い高さに位置付けるように伸張される、支柱と、
前記レッグレストに回転可能に結合されたレッグレストアクチュエータ、前記背もたれに回転可能に結合された背もたれアクチュエータ、および前記支柱の前記複数の支持体のうちの１つに固定的に結合され、かつ前記シートに回転可能に結合されたシートポジションアクチュエータと
を有する、医療用チェア。
【請求項２】
前記レッグレストアクチュエータは、前記シートに動作可能に接続される、請求項１に記載の医療用チェア。
【請求項３】
前記背もたれアクチュエータは、前記シートに動作可能に接続される、請求項２に記載の医療用チェア。
【請求項４】
前記複数の支持体は、前記プラットフォームに対する前記シートの高さを伸縮自在に変化させる、請求項１に記載の医療用チェア。
【請求項５】
前記シートポジションアクチュエータは、前記シートの中央に位置し、前記レッグレストアクチュエータおよび前記背もたれアクチュエータは、前記シートポジションアクチュエータの両側に位置する、請求項１に記載の医療用チェア。
【請求項６】
前記シートポジションアクチュエータは、前記支柱に対する前記シートの角度方向を変更するように選択的にポジション変更可能である、請求項５に記載の医療用チェア。
【請求項７】
前記支柱の前記複数の支持体の各々は、前記支柱によって定義される横軸に対して実質的に垂直な長手方向軸線に沿って整列している、請求項１に記載の医療用チェア。
【請求項８】
前記支柱の前記複数の支持体は、少なくとも３つの支持体を含み、前記支持体のうちの前記第１の支持体は、前記プラットフォームに固定的に結合された最も内側の支持体であり、前記支持体のうちの前記第２の支持体は、前記シートポジションアクチュエータに固定的に結合された最も外側の支持体であり、前記支持体のうちの第３の支持体は、前記最も内側の支持体と前記最も外側の支持体との間に位置する中間の支持体である、請求項７に記載の医療用チェア。
【請求項９】
前記チェアの高さを変更するように構成された前記支柱内に位置するアクチュエータをさらに有する、請求項８に記載の医療用チェア。
【請求項１０】
前記プラットフォームは、前記医療用チェアの長手方向軸線に沿って延びる輪郭縁部を画定し、前記輪郭縁部は、第２の部分が前記長手方向軸線に対して位置するよりも前記長手方向軸線の近くに位置する第１の部分を含む、請求項１に記載の医療用チェア。
【請求項１１】
前記第２の部分は、前記レッグレストに向かって配置された第１の端部と、前記背もたれの後方に配置された第２の端部とを含み、前記第２の端部は、高くなった部分を含む、請求項４に記載の医療用チェア。
【請求項１２】
ハウジング内に位置するリンク式ケーブルキャリアをさらに有し、前記ハウジングは、前記プラットフォームから前記シートに向かって延び、前記支柱に隣接して配置されている、請求項１に記載の医療用チェア。
【請求項１３】
前記ハウジングは、少なくとも２つのハウジング片を含み、前記２つのハウジング片は、前記シートが前記第１のポジションから前記第２のポジションに配置されるときに入れ子式に伸びる、請求項１２に記載の医療用チェア。
【請求項１４】
複数の調節可能なポジションを有する医療用チェアであって、
シートと、
前記シートを支持するように構成されたプラットフォームと、
複数の入れ子式の支持体を含む支柱であって、前記支持体のうちの第１の支持体が、前記プラットフォームに固定的に結合され、前記支持体のうちの第２の支持体が、前記シートに動作可能に結合され、前記入れ子式の支持体は、前記シートが前記プラットフォームに対して配置されるときに伸縮自在に伸びる、支柱と、
ハウジング内に位置するリンク式ケーブルキャリアであって、前記ハウジングは、前記プラットフォームから前記シートに向かって延び、かつ前記支柱に隣接して配置されている、リンク式ケーブルキャリアと
を有する、医療用チェア。
【請求項１５】
前記支柱の前記複数の支持体は、少なくとも３つの支持体を含み、前記支持体のうちの前記第１の支持体は、前記プラットフォームに固定的に結合された最も内側の支持体であり、前記支持体のうちの前記第２の支持体は、前記シートに固定的に結合された最も外側の支持体であり、前記支持体のうちの第３の支持体は、前記最も内側の支持体と前記最も外側の支持体との間に位置する中間の支持体である、請求項１４に記載の医療用チェア。
【請求項１６】
前記ハウジングは、少なくとも２つのハウジング片を含み、前記ハウジングは、前記プラットフォームに対して伸縮自在に伸びる、請求項１５に記載の医療用チェア。
【請求項１７】
前記シートに枢動可能に結合されたレッグレストと、
前記シートに枢動可能に結合された背もたれと、
前記レッグレストに回転可能に結合されたレッグレストアクチュエータと、前記背もたれに回転可能に結合された背もたれアクチュエータと、前記複数の支持体のうちの前記最も外側の支持体に固定に結合され、かつ前記シートに回転可能に結合されたシートポジションアクチュエータと
をさらに有する、請求項１６に記載の医療用チェア。
【請求項１８】
前記シートポジションアクチュエータは、前記シートの中央に位置し、前記レッグレストアクチュエータおよび前記背もたれアクチュエータは、前記シートポジションアクチュエータの両側に位置する、請求項１７に記載の医療用チェア。
【請求項１９】
前記プラットフォームは、前記医療用チェアの長手方向軸線に沿って延びる輪郭縁部を画定し、前記輪郭縁部は、第２の部分が前記長手方向軸線に対して位置するよりも前記長手方向軸線の近くに位置する第１の部分を含む、請求項１８に記載の医療用チェア。
【請求項２０】
前記第２の部分は、前記レッグレストに向かって配置された第１の端部と、前記背もたれの後方に配置された第２の端部とを含み、前記第２の端部は、高くなった部分を含む、請求項１９に記載の医療用チェア。
【発明の詳細な説明】
【技術分野】
【０００１】
（関連出願の相互参照）
本出願は、２０１６年３月４日に出願された「Ｓｕｒｇｉｃａｌ  Ｓｕｐｐｏｒｔ  Ｓｕｒｆａｃｅ（外科用支持面）」という名称の米国特許仮出願第６２／３０３，７９３号の優先権を主張し、その開示は、全体が参照により本明細書に援用される。
【０００２】
本教示は、広義には、医療用のチェアまたはテーブルを含む外科用支持面に関し、より詳細には、複数のポジション（姿勢）へとポジションの変更が可能な医療用のチェアまたはテーブルに関する。
【背景技術】
【０００３】
例えば、医療、歯科、および視覚の検査および処置の際に使用される種類の昇降およびリクライニングチェアが先行技術において知られている。多くの場合、これらのチェアは、患者を横臥または背臥の姿勢にするために、電気モータまたは油圧モータによって動力式で動作し、ベースに対して上下方向に移動し、かつ／またはリクライニングすることができる。チェアは、チェア自体に取り付けられてよく、あるいは別個のスイッチパネルまたはフットスイッチアセンブリの一部とされてよい複数のスイッチにより、操作者、すなわち医師、歯科医、または他の医療専門家によって動かされる。このような動力式の調節可能なチェアを操作するためのスイッチおよび制御システムにおいて、さまざまな改善が長年にわたってなされてきたが、過去の設計に関連する特定の問題および望ましくない側面が明らかになっている。
【発明の概要】
【０００４】
本発明は、広義には、診察チェアなどの可動チェアに関し、より詳細には、ユーザの所望のとおりにチェアのポジションを変更するために指令をコントローラへと送信でき、あるいはアクチュエータへと直接送信できる複数のボタンを備える制御ボタンレイアウトを有する制御システムを利用する可動チェアに関する。
【０００５】
一実施形態において、複数の調節可能なポジションを有する医療用チェアであって、この医療用チェアを支持するように構成されたプラットフォームと、プラットフォームに動作可能に接続されたシート（座部）と、シートに枢動可能に結合したレッグレストと、シートに枢動可能に結合した背もたれとを含む医療用チェアが提供される。支柱が、複数の支持体を含み、支持体のうちの第１の支持体が、プラットフォームに固定的に結合され、支持体のうちの第２の支持体が、シートに動作可能に結合され、プラットフォームに対するシートの第１のポジションにおいて、複数の支持体は、シートを最も低い高さに位置付けるように入れ子になり、第２のポジションにおいて、複数の支持体は、シートを最も高い高さに位置付けるように伸張する。レッグレストアクチュエータが、レッグレストに回転可能に結合される。背もたれアクチュエータが、背もたれに回転可能に結合される。シートポジションアクチュエータが、支柱の複数の支持体のうちの１つに固定に結合され、かつシートに回転可能に結合される。
【０００６】
別の実施形態においては、複数の調節可能なポジションを有する医療用チェアであって、シートと、シートを支持するように構成されたプラットフォームとを含む医療用チェアが提供される。支柱は、複数の入れ子式の支持体を含み、支持体のうちの第１の支持体が、プラットフォームに固定的に結合され、支持体のうちの第２の支持体が、シートに動作可能に結合され、入れ子式の支持体は、シートがプラットフォームに対して配置されるときに伸縮自在に伸びる。リンク式ケーブルキャリアが、ハウジング内に位置しており、ハウジングは、プラットフォームからシートに向かって延び、かつ支柱に隣接して配置されている。
【０００７】
本発明の実施形態の以下の説明を、添付の図面と併せて参照することによって、本発明の上述の態様およびそれらを得る方法がさらに明らかになり、本発明そのものがよりよく理解されるであろう。
【図面の簡単な説明】
【０００８】
【図１】医療用チェアの前方からの斜視図である。
【図２】医療用チェアの後方からの斜視図である。
【図３】医療用チェアの側面図である。
【図４】アームレストのポジションを固定および解放するように構成されたラッチの斜視図である。
【図５Ａ】アームレストのポジションを固定するための突出位置にあるラッチの斜視図である。
【図５Ｂ】アームレストの移動を可能にする解除位置にあるラッチの斜視図である。
【図６】医療用チェアの一方側のシートの直下に位置する構成要素の斜視図である。
【図７】医療用チェアの他方側のシートの直下に位置する構成要素の斜視図である。
【図８】医療用チェアのポジションを調節するように構成された制御ボタンのレイアウトである。
【図９】医療用チェアの正面図である。
【図１０】医療用チェアの後方からの斜視図である。
【図１１】医療用チェアの後面図である。
【図１２】医療用チェアの側面図である。
【図１３】頭部がシート部分と同じ平面に位置している医療用チェアの側面図である。
【図１４】トレンデレンブルグ（Ｔｒｅｎｄｅｌｅｎｂｕｒｇ）ポジションにある医療用チェアの側面図である。
【発明を実施するための形態】
【０００９】
以下に記載される本発明の実施形態は、すべてを挙げ尽くそうとするものではなく、本発明を以下の詳細な説明に開示される厳密な形態に限定しようとするものでもない。むしろ実施形態は、当業者が本発明の原理および実施を正当に評価および理解できるように選択され、説明される。
【００１０】
この点に関して、本発明は、いくつかの図に示され、それらの多くの部分、相互関係、および部分的な組み合わせを単一の特許図面に明瞭または有意義に示すことが単純に不可能であるほどに複雑である。したがって、図面のいくつかは、開示されている本発明の特定の特徴、態様、または原理の説明に関して、その図面において不可欠ではない部分を概略的に示し、あるいは省略している。したがって、或る具現化された特徴の最良の形態が、或る１つの図面に示され、別の特徴の最良の態様が、別の図面に示されるかもしれない。
【００１１】
可動チェア１００が、図１に示されている。チェア１００は、ベース１０４に結合したシート１０２を有することができる。シート１０２は、地面に対して実質的に水平であり、ユーザの着席を可能にするようなサイズおよび配置とされたチェア１００の一部分であってよい。シート１０２を地面に対して水平であるものとして説明したが、本開示は、そのような構成に限定されない。むしろ、シートは、ユーザの着席を依然として可能にする地面に対する任意の角度の向きを有することができる。一例（ただし、これに限られるわけではない）において、シート１０２は、地面に対してわずかに傾斜していてもよい。
【００１２】
ベース１０４は、チェア１００を基礎面上に配置することを可能にするようなサイズとされたプラットフォーム１１８に結合させることができる。プラットフォーム１１８は、基礎面に対しチェア１００のポジションを変更する間にシート１０２およびシート１０２に結合した他の構成要素の所望の向きを維持するための充分な支持を提供することができる。一例（ただし、これに限られるわけではない）において、プラットフォーム１１８は、シート１０２の前部１０６の直下からシート１０２の後部１０８を過ぎて後方へと延びることができる。さらに、プラットフォーム１１８は、チェア１００がさまざまなポジションへと動くときに基礎面との接触を実質的に維持するように、シート１０２の後部１０８を過ぎて充分に遠くまで延びることができる。換言すれば、プラットフォーム１１８は、チェア１００の後方への転倒を防止するために、シート１０２の後部１０８から充分に遠くまで延びる。
【００１３】
プラットフォーム１１８は、チェア１００の長手方向軸線１２２に沿って延びる輪郭縁部１２０を含む。プラットフォームは、チェア１００の前部に向いた第１の端部１２４と、チェア１００の後部に向いた第２の端部１２６とを含む。プラットフォーム１１８の第１の部分１２８が、第２の部分１３０の長手方向軸線に対する位置と比べ、長手方向軸線１２２により近く配置される。さらに、第２の部分１３０は、プラットフォーム１１８の残りの部分に対して高くされている。
【００１４】
さらに、チェア１００はまた、シート１０２の後部１０８においてベース１０４に枢動可能に結合した背もたれ１１０を有することができる。背もたれ１１０は、ユーザがチェア１００に着席したときに、ユーザの背中および肩に支持を提供することができる。さらに、チェア１００は、シート１０２の前部１０６に枢動可能に結合したレッグレスト１１２を有することができる。レッグレスト１１２および背もたれ１１０は、ユーザの脚、胴、および背中の互いに対する角度を操作するために、シート１０２に対するポジションが変更可能であってよい。
【００１５】
同様に、チェア１００は、背もたれ１１０の一端に位置するヘッドレスト１１４を有することができる。ヘッドレスト１１４は、ヘッドレスト１１４を背もたれ１１０に対する複数の異なる向きに配置できるように、背もたれ１１０に可動に結合させることができる。さらに、アームレスト１１６を、シート１０２の各側においてベース１０４に結合させることができる。アームレスト１１６も、上昇ポジションと下降ポジションとの間でポジション変更可能であってよい。
【００１６】
アームレスト１１６、ヘッドレスト１１４、背もたれ１１０、シート１０２、およびレッグレスト１１２の各々は、パッド要素がチェア張り材料を介して組み合わせられた構造部材であってよい。それぞれの構造部材が、それぞれの構成要素の配置を決定できる一方で、パッド要素およびチェア張り材料を、ユーザの快適性を高めるために配置することができる。
【００１７】
ここで図２を参照すると、チェア１００の背面図が示されている。チェア１００の背面図に、背もたれ１１０に結合した少なくとも１つのレール２０２が示されている。レール２０２は、レールマウント２０４を介して背もたれに結合でき、後部１０８とヘッドレスト１１４との間に部分的に延在することができる。ヘッドレスト１１４は、リンク装置２０６によって背もたれ１１０に結合させることができる。ヘッドレスト１１４のポジションを、クランプアーム２０８を係合させることにより、リンク装置２０６によって選択的に変更することができる。クランプアーム２０８が非係合位置にあるとき、ヘッドレスト１１４のポジションを、リンク装置２０６のジョイントを中心とする枢動によって変更することができる。ヘッドレスト１１４のポジションが所望の場所にあるときに、クランプアーム２０８を係合させて、リンク装置２０６のジョイントを中心とする枢動を実質的に制限することができる。したがって、背もたれ１１０に対するヘッドレスト１１４のポジションは、リンク装置２０６のクランプアーム２０８の係合に依存する。
【００１８】
また、図２には、ロールホルダ２１０が示されている。ロールホルダ２１０は、下部において背もたれ１１０に結合でき、実質的に１８０度の円弧を形成するように背もたれ１１０から離れるように延びることができる。ロールホルダ２１０は、ヘッドレスト１１４と背もたれ１１０との間の位置で終わることができる。一実施形態においては、紙ロールを背もたれ１１０とヘッドレスト１１４との間に延ばして、チェア１００の背もたれ１１０、シート１０２、および／またはレッグレスト１１２を覆うことができるように、紙ロールをロールホルダ２１０内に配置することができる。
【００１９】
ここで図３を参照すると、チェア１００の側面図が示されている。また、図３には、ピボットハウジング３０４からアームレスト１１６まで延びる支持部材３０２が示されている。一実施形態においては、アームレスト１１６とピボットハウジング３０４との間を延びる２つの支持部材３０２があってよい。２つの支持部材３０２は、互いに実質的に平行かつ互いに離れていてよい。さらに、２つの支持部材３０２の各々は、それぞれの端部において枢動可能であってよい。
【００２０】
さらに、ピボットハウジング３０４は、２つの支持部材３０２、ひいてはアームレスト１１６を、図３に示される上昇ポジションに選択的に係止するためのラッチ３０６を有することができる。ピボットハウジング３０４は、ラッチ３０６を係止位置に向かって付勢するために、内部に配置された１つ以上のばねを有することができる。アームレスト１１６が上昇ポジションにあるとき、ラッチ３０６は、支持部材３０２のあらゆる他の向きへの枢動を、実質的に制限することができる。
【００２１】
ハウジング３１０が、プラットフォーム１１８から延び、第１のハウジング片３１２、第２のハウジング片３１４、および第３のハウジング片３１６を含む。ハウジング３１０は、図７に示されるように支柱６０２と入れ子式に延びている。リンク式ケーブルキャリア３１８がハウジング内に配置され、シート１００の上昇時にハウジングとともに延びる。図２を参照されたい。
【００２２】
ここで図４を参照すると、ピボットハウジング３０４からカバーが取り外された状態のラッチ３０６が示されている。より具体的には、各々の支持部材３０２は、支持軸４０２を中心にして枢動可能であってよい。ピボットストッパ４０６を、チェア１００の前部１０６に向かって配置された支持部材３０２の一端に沿って配置することができる。支持部材３０２は、ピボットストッパ４０６の接触面４０４に接触するまで、支持軸４０２を中心にして矢印４０８によって示される上昇方向に枢動させることができる。支持部材３０２がピボットストッパ４０６に接触すると、アームレスト１１６は、完全に上昇したポジションに位置することができる。またさらに、アームレスト１１６が完全に上昇したポジションに位置すると、係止ブロック４１０が、後部１０８へと向かう支持部材３０２の回転と干渉し、それぞれの支持軸４０２を中心とする支持部材３０２の下方４１２への枢動を制限することができる。またさらに、ラッチ３０６は、係止ブロック４１０をスライドさせて支持部材３０２との干渉から外すことによって、アームレスト１１６を下降ポジションに配置できるように、ユーザによって選択的に係合させることが可能である。
【００２３】
係止ブロック４１０の動きを、図５Ａおよび図５Ｂを参照して、より明瞭に示すことができる。より具体的には、図５Ａを参照すると、係止ブロック４１０は、突出ポジションに示されており、後方の支持部材３０２の矢印４１２によって示される下降方向への回転と干渉する。図５Ａに示した実施形態において、アームレスト１１６を、上昇ポジションに実質的に係止することができる。一実施形態においては、係止ブロック４１０を、係止ブロック４１０とピボットハウジング３０４との間に配置される１つ以上のばねによって突出ポジションに付勢することができる。
【００２４】
代わって、図５Ｂにおいては、係止ブロック４１０が、解除ポジション５００に示されている。係止ブロック４１０は、ユーザがラッチ３０６へと矢印５０２によって示される方向に力を加えたとき、解除ポジションに位置することができる。係止ブロック４１０が解除ポジションに位置する場合、支持部材３０２は、もはや係止ブロック４１０が後方の支持部材３０２の下部と干渉しないので、それぞれの支持軸４０２を中心にして下降方向４１２に回転することができる。ひとたび支持部材３０２が少なくとも途中まで下降方向４１２に回転させられると、ユーザはラッチ３０６を離すことができ、係止ブロック５１０を、係止ブロック４１０の外面５０４と接触して係止ブロックを解除ポジションに保持する支持部材３０２の下部との接触によって、解除ポジション５００に保持することができる。
【００２５】
上述したアームレストアセンブリの一態様において、ピボットストッパ４０６は、下降ポジションにおける支持部材３０２の角度方向も定めることができる。より具体的には、ピボットストッパ４０６を、実質的に水平な平面に対して斜めにすることができる。支持部材３０２が下降ポジションへと移行するとき、チェア１００の前方に向かう支持アームは、ピボットストッパ４０６の表面に当接するまで下降方向４１２に枢動することができる。したがって、前方の支持部材３０２の角度方向を、ピボットストッパ４０６によって決定することができ、後方の支持部材３０２の角度方向を、アームレスト１１６およびピボットハウジング３０４との枢動リンク装置によって決定することができる。ここで、当業者であれば、各々の支持部材３０２が各々の端部において枢動可能に結合させられており、一方の支持部材３０２の回転が他方の支持部材の回転を必ず必要とすることを、理解および認識できるであろう。
【００２６】
ピボットハウジング３０４の別の態様において、ピボットハウジング３０４に結合した構成要素は、チェア１００の各側に配置されるように実質的に裏返し可能であってよい。より具体的には、ピボットストッパ４０６は、ピボットハウジング３０４がチェア１００の各側にあるときに、中央結合ポジションにおいてピボットハウジング３０４に結合することができる。しかしながら、ピボットハウジング３０４は、ピボットハウジング３０４が設置されているチェア１００の各側に対応する中央結合ポジションの各側の第１および第２のオフセット結合ポジションを提供してもよい。したがって、ピボットハウジング３０４がチェア１００の第１の側に設置される場合、ピボットストッパを、アームレスト１１６を上述のポジションに向けることができるように、中央結合ポジションおよび第１のオフセット結合ポジションに結合させることができる。あるいは、ピボットハウジング３０４がチェアの第２の側に設置される場合、ピボットストッパ４０６を、アームレスト１１６を上述のポジションに向けることができるように、中央結合ポジションおよび第２のオフセット結合ポジションに結合させることができる。同様に、それぞれの支持アーム３０２は、チェア１００のどちら側にピボットハウジングが設置されているかにかかわらず同じピボットハウジング３０４を利用することができるよう、ピボットハウジング３０４内に定められた複数の結合ポジションを有することができる。
【００２７】
ここで図６を参照すると、チェア１００の内部構成要素の斜視図が示されている。より具体的には、支柱６０２が、プラットフォーム１１８および他のカバーを取り除いて示されている。支柱６０２は、下方の地面に対するチェア１００の高さを入れ子式にて変更することができる。さらに、１つ以上のアクチュエータをチェア１００の構成要素に組み合わせ、背もたれ１１０、シート１０２、およびレッグレスト１１２のポジションのさらなる制御を可能にすることができる。より具体的には、一実施形態において、背もたれアクチュエータ６０４を、一端６０８においてシート１０２の一部分に結合させ、他端６１０において背もたれ１１０の一部分に結合させることができる。この構成において、背もたれアクチュエータ６０４の長さを選択的に制御して、シート１０２に対する背もたれ１１０の角度方向を変更することができる。背もたれブラケット６０６を、一端において背もたれ１１０の一部分に結合させ、他端において背もたれアクチュエータ６０４に枢動可能に結合させることができる。背もたれブラケット６０６は、ユーザがチェア１００に着席しているときに背もたれアクチュエータ６０４によってシート１０２に対する背もたれ１１０のポジションを変更するための充分な強度を提供することができる。
【００２８】
ここで図７を参照すると、レッグレストアクチュエータ７０２が示されている。レッグレストアクチュエータ７０２を、一端においてシート１０２の一部分に結合させ、他端においてレッグレスト１１２の一部分に結合させることができる。レッグレストアクチュエータ７０２も、レッグレスト軸７０４を中心にしてシート１０２に対するレッグレスト１１２の角度方向を変更するために、選択的にポジション変更可能であってよい。
【００２９】
さらに、図７には、シートポジションアクチュエータ７０６も示されている。シートポジションアクチュエータ７０６を、一端７１２において支柱６０２の一部分に結合させ、他端７１４においてシート１０２の一部分に結合させることができる。シートポジションアクチュエータ７０６も、支柱軸７０８を中心にして支柱６０２に対するシート１０２の角度方向を変更するために、選択的にポジション変更可能であってよい。支柱６０２は、軸７０８に実質的に垂直な支柱長手方向軸線７１０に沿って延びる。
【００３０】
したがって、シート１０２に対する背もたれ１１０のポジションを、背もたれアクチュエータ６０４によって変更することができ、シート１０２に対するレッグレスト１１２のポジションを、レッグレストアクチュエータ７０２によって変更することができ、支柱６０２に対するシート１０２のポジションを、シートポジションアクチュエータ７０６によって変更することができ、基礎面に対するシート１０２の高さを、支柱６０２によって変更することができる。
【００３１】
図７ならびに図６に示されるように、シートポジションアクチュエータ７０６は、支柱６０２に結合した端部、支柱６０２に結合した端部７１２、およびレッグレスト１１２に結合した端部７１４を含む。シートポジションアクチュエータ７０６は、シート１００の中央に位置し、レッグレストアクチュエータ７０２および背もたれアクチュエータ６０４は、シートポジションアクチュエータ７０６の両側に位置する。
【００３２】
図示および上述したアクチュエータは、技術的に公知の任意の種類のアクチュエータであってよい。より具体的には、電気アクチュエータ、油圧アクチュエータ、空気圧アクチュエータ、などを使用することができる。同様に、任意の他の同様のアセンブリを使用することができる。一実施形態においては、シザージャッキまたは同様の回転ジャッキを使用することができる。したがって、本開示は、上述の構成要素のポジションの変更に使用されるアクチュエータまたは装置のいかなる特定の種類にも限定されない。
【００３３】
ここで図８を参照すると、制御ボタンレイアウト８００が示されている。より具体的には、制御ボタンレイアウト８００は、ユーザが望むとおりにチェア１００のポジションを変更するために命令をコントローラへと送信でき、あるいはアクチュエータへと直接送信することができる複数のボタンを有することができる。一実施形態において、制御ボタンレイアウト８００は、チェア上昇およびチェア下降ボタン８０２を有することができる。チェア上昇／下降ボタン８０２は、支柱６０２内のアクチュエータを制御して、下方の地面に対するチェア１００の高さを変更することができる。チェア上昇／下降ボタン８０２は、チェア１００を上昇させる第１のボタンと、チェア１００を下降させる第２のボタンとを有することができる。
【００３４】
さらに、制御ボタンレイアウト８００は、背もたれ起こしボタンおよび背もたれ倒しボタン８０４を有することができる。背もたれ起こし／倒しボタン８０４は、背もたれアクチュエータ６０４を制御して、シート１０２に対するチェア１００の背もたれ１１０のポジションを変更することができる。背もたれ起こし／倒しボタン８０４は、背もたれ１１０をシート１０２から遠ざかるように枢動させる第１のボタンと、背もたれ１１０をシート１０２に向かって枢動させる第２のボタンとを有することができる。
【００３５】
さらに、制御ボタンレイアウト８００は、チルトアップボタンおよびチルトダウンボタン８０６を有することができる。チルトアップ／ダウンボタン８０６は、シートポジションアクチュエータ７０６を制御して、シート支柱６０２に対するチェア１００のシート１０２のポジションを変更することができ、したがって基礎面に対するチェア１００のシート１０２のポジションを変更することができる。チルトアップ／ダウンボタン８０６は、シート１１０を背もたれ１１０の方へと傾ける第１のボタンと、シート１０２をレッグレスト１１２の方へと傾ける第２のボタンとを有することができる。チルトアップ／ダウンボタン８０６は、背もたれ１１０およびレッグレスト１１２をシート１０２と一緒に傾けることもできる。より具体的には、レッグレストアクチュエータ７０２および背もたれアクチュエータ６０４がシート１０２に結合しているため、シート１０２が傾斜するとき、レッグレスト１１２および背もたれ１１０も一緒に傾斜する。
【００３６】
さらに、制御ボタンレイアウト８００は、レッグレスト上昇およびレッグレスト下降ボタン８０８を有することができる。レッグレスト上昇／下降ボタン８０８は、レッグレストアクチュエータ７０２を制御して、シート１０２に対するチェア１００のレッグレスト１１２のポジションを変更することができる。レッグレスト上昇／下降ボタン８０８は、レッグレスト１１２をプラットフォーム１１８から遠ざかるように枢動させる第１のボタンと、レッグレスト１１２をプラットフォーム１１８に向かって枢動させる第２のボタンとを有することができる。
【００３７】
さらに、制御ボタンレイアウト８００は、１つ以上のプログラムボタン８１０、トレンデレンブルク（Ｔｒｅｎｄｅｌｅｎｂｕｒｇ）ボタン８１２、およびホームボタン８１４を有することができる。プログラムボタン８１０は、チェア１００のポジションを前もって記憶されたポジションへと変更するためにユーザによって選択可能であってよい。より具体的には、ユーザは、チェア上昇／下降ボタン８０２、背もたれ起こし／倒しボタン８０４、チルトアップ／ダウンボタン８０６、およびレッグレスト上昇／下降ボタン８０８を利用して、チェア１００を任意の所望のポジションに位置させることができる。ひとたびユーザがチェア１００を所望のポジションに位置させると、ユーザは、そのポジションをプログラムボタン８１０のうちの１つへとプログラムすることができる。チェア１００の特定の向きをメモリユニットに記憶することができ、それぞれのプログラムボタン８１０がユーザによって選択されるたびにチェア１００をそのポジションへと戻すことができる。
【００３８】
同様に、トレンデレンブルクボタン８１２は、上述したアクチュエータを自動的に利用して、チェア１００をトレンデレンブルクポジションに向けることができる。ホームボタン８１４は、ユーザがチェアをホームポジションへと戻すために選択することができる。ロックアウトボタン８１６も設けられる。
【００３９】
一実施形態においては、制御ボタンレイアウト８００を、ユーザの操作のための手持ちコントローラに配置することができる。手持ちコントローラは、指示のとおりにチェアのポジションを変更するために、有線または任意の公知の無線方法のいずれかによってチェア１００と通信することができる。これに代え、あるいはこれに加えて、制御レイアウト８００を、ユーザの操作のためのフットスイッチに配置することができる。フットスイッチも、指示のとおりにチェアのポジションを変更するために、有線または任意の公知の無線方法のいずれかによってチェア１００と通信することができる。
【００４０】
ボタン８０２〜８１６を図示および上述したが、本開示は、ボタンの使用に限定されない。より具体的には、一実施形態において、タッチスクリーンまたは他の同様のデバイスを使用することができる。またさらに、一実施形態においては、チェア１００のポジションを制御するために、制御システムを任意の種類のコンピューティングデバイスにインストールすることができる。より具体的には、デスクトップコンピュータ、携帯電話機、タブレット、ラップトップ、などに、これらのデバイスによるチェア１００のポジションの制御を可能にする制御システムを、インストールすることができる。
【００４１】
図９、図１０、図１１、および図１２は、支柱６０２およびハウジング３１０が伸長ポジションに位置している上昇ポジションのチェア１００を示している。図２および図３に見られるように、ハウジング３１０および支柱６０２の各々は、短縮位置にある。ハウジング３１０および支柱６０２は、隣接して配置され、プラットフォーム１１８でチェアを支持するために必要な面積を小さくする。この面積の縮小は、輪郭付けられた縁部１２０の構成と相俟って、チェアによって支持された個人へと処置を提供する医療従事者にとって利用可能な領域の量を増加させる。
【００４２】
支柱６０２は、第１の支持体９０２、第２の支持体９０４、および第３の支持体９０６を含む複数の支持体を含む。チェアを上下に動かすために、ボタン８０２が支柱６０２内のアクチュエータを制御して、プラットフォーム１１８に対するチェア１００の高さを変更する。シートアクチュエータ７０６は第３の支持体９０６に結合しているため、アクチュエータが支柱６０２を最下ポジションから伸長ポジションへと伸ばすとき、第３の支持体９０６の移動が、シートをプラットフォーム１１８に対して上昇させる。
【００４３】
図１３が、制御ボタンレイアウト８００を使用するチェア１００の別のポジションを示している。このポジションにおいては、チェアの背もたれボタン８０４が、背もたれ１１０をシート１０２に平面的に整列させるために使用される。レッグレスト１１２は、レッグレストボタン８０８によって下方ポジションに配置される。
【００４４】
図１４は、チェア１００のトレンデレンブルクポジションを示している。このポジションは、トレンデレンブルクボタン８１２で選択される。一実施形態において、ボタン８１２は、トレンデレンブルクポジションを１５度の傾斜に設定する。このポジションにおいて、背もたれ１１０、シート１０２、およびレッグレスト１１２は、平坦な支持面を提供するが、頭が下方となる姿勢に傾けられている。
【００４５】
本開示の原理を取り入れる典型的な実施形態を、本明細書において開示したが、本開示は、開示された実施形態に限定されない。むしろ、本出願は、本開示の全体的な原理を使用する本開示のあらゆる変種、使用、または改作を包含するように意図される。さらに、本出願は、本発明が関係する技術分野における既知の実務または慣習的な実務の範囲内であるような本開示からの逸脱を、包含するように意図されている。
【００４６】
本明細書において使用される用語は、あくまでも特定の例示的な実施形態を説明する目的のためのものにすぎず、限定を意図していない。本明細書において使用されるとき、単数形「ａ」、「ａｎ」、および「ｔｈｅ」は、文脈からそのようでないことが明らかでない限り、複数形も含むように意図され得る。用語「・・・を備える」、「・・・を備えている」、「・・・を含んでいる」、および「・・・を有している」は、包括的であり、したがって記載された特徴、完全体、工程、作用、要素、および／または構成要素の存在を指定するが、１つ以上の他の特徴、完全体、工程、作用、要素、構成要素、および／またはこれらのグループの存在または追加を排除しない。本明細書に記載の方法の工程、処理、および動作を、実行の順序として具体的に特定されない限り、説明または例示した特定の順序での実行を必ずや必要とすると解釈してはならない。追加の工程または代替の工程が使用されてもよいことも、理解すべきである。
【００４７】
或る要素または層が、他の要素または層に「接触」し、「係合」し、「接続」され、あるいは「結合」していると称される場合、その要素または層は、他の要素または層に直接的に接触し、係合し、接続され、あるいは結合しても、介在の要素または層が存在してもよい。対照的に、或る要素が、他の要素または層に「直接接触」し、「直接係合」し、「直接接続」され、あるいは「直接結合」していると称される場合、介在の要素または層は存在しなくてよい。要素間の関係を説明するために使用される他の言葉は、同様のやり方で解釈されるべきである（例えば、「・・・の間に」と「・・・の間に直接的に」、「隣接」と「直接的に隣接」、など）。本明細書において使用されるとき、用語「および／または」は、関連して列挙される項目のうちの１つ以上からなるあらゆるすべての組み合わせを含む。
【００４８】
第１、第２、第３、などの用語が、本明細書において種々の要素、構成要素、領域、層、および／または部分を説明するために使用され得るが、これらの要素、構成要素、領域、層、および／または部分は、これらの用語によって限定されるべきではない。これらの用語は、或る要素、構成要素、領域、層、または部分を、他の領域、層、または部分から区別するためだけに使用され得る。「第１」、「第２」、などの用語、ならびに他の数値的な用語は、本明細書において使用されるとき、文脈から明らかでない限りは、順序または順番を意味するものではない。したがって、以下で説明される第１の要素、構成要素、領域、層、または部分を、典型的な実施形態の教示から逸脱することなく、第２の要素、構成要素、領域、層、または部分と呼ぶことができる。
【００４９】
「内部」、「外部」、「直下」、「下方」、「下」、「上方」、「上」、などの空間的に相対的な用語は、本明細書において、図面に示されるとおりの或る要素または特徴の他の要素または特徴に対する関係を説明するための説明の容易さの目的で使用され得る。空間的に相対的な用語は、図面に描かれている向きに加えて、使用時または動作時の装置の種々の向きを包含するように意図され得る。例えば、図中の装置が逆さまにされる場合、他の要素または特徴の「下方」または「直下」として説明された要素が、他の要素または特徴の「上方」に位置すると考えられる。したがって、例示の用語「下方」は、上方および下方の両方の向きを包含することができる。装置は、他のやり方で配置されてもよい（９０度回転させられても、あるいは他の向きであってもよい）。
【００５０】
種々の追加の説明および本開示の実施形態のうちのいくつかの実施形態のさらなる態様を示す図面を含む付録が、本明細書に添付され、本出願に含まれる。これらの添付資料は、本出願の一部を構成するように意図され、したがってそれらの内容は、その全体がここでの言及によって本明細書に明示的に援用される。
【図１】
2019508155.tif 000003
【図２】
2019508155.tif 000004
【図３】
2019508155.tif 000005
【図４】
2019508155.tif 000006
【図５Ａ】
2019508155.tif 000007
【図５Ｂ】
2019508155.tif 000008
【図６】
2019508155.tif 000009
【図７】
2019508155.tif 000010
【図８】
2019508155.tif 000011
【図９】
2019508155.tif 000012
【図１０】
2019508155.tif 000013
【図１１】
2019508155.tif 000014
【図１２】
2019508155.tif 000015
【図１３】
2019508155.tif 000016
【図１４】
2019508155.tif 000017
【国際調査報告】
2019508155.tif 000018
2019508155.tif 000019